(57)【要約】【課題】  能力の異なる多種類のユーザの個々に対して適切な機能を付与できると共に、信頼性の高い分析結果を確保できる分析装置を提供することを目的とする【解決手段】  ユーザにより入力される入力装置８ａ，９ａと、分析のために実行される複数の処理のそれぞれに対応する権限項目を記憶する権限項目ファイル２２と、権限項目と権限名称とを互いに対応させて記憶する権限名称テーブル２３と、ユーザ情報と権限名称との対応関係を記憶するユーザ情報テーブル２４と、入力装置８ａ，９ａから入力されたユーザ情報に基づいて権限名称を認証する認証手段と、その認証手段によって認証された権限名称に基づく権限項目を実行する処理実行装置と、そして、権限名称テーブル２３に記憶される権限名称が含む権限項目を特定のユーザ情報に基づいて設定または変更できる権限項目設定手段とを有する分析装置である。【選択図】        図２
2005327080.tif 000002
【特許請求の範囲】
【請求項１】
ユーザにより入力される入力手段と、
分析のために実行される複数の処理のそれぞれに対応する権限項目を記憶する権限項目記憶手段と、
前記複数の権限項目から選択される１つの権限項目又は複数の権限項目の組合せと、所定の権限項目の使用権限を表わす権限名称と、を互いに対応させて記憶する権限名称記憶手段と、
分析を行うユーザに関する情報であるユーザ情報と前記権限名称との対応関係を記憶するユーザ情報記憶手段と、
前記入力手段により入力された前記ユーザ情報に基づいて前記権限名称を認証する認証手段と、
前記認証手段によって認証された権限名称に基づく権限項目を実行する処理実行手段と、
前記権限名称記憶手段に記憶される権限名称が含む１つ又は複数の権限項目を特定のユーザ情報に基づいて設定または変更できる権限項目設定手段と
を有することを特徴とする分析装置。
【請求項２】
ユーザにより入力される入力手段と、
分析のために実行される複数の処理のそれぞれに対応する権限項目を記憶する権限項目記憶手段と、
前記複数の権限項目から選択される１つの権限項目又は複数の権限項目の組合せと、所定の権限項目の使用権限を表わす権限名称と、を互いに対応させて記憶する権限名称記憶手段と、
分析を行うユーザに関する情報であるユーザ情報と前記権限名称との対応関係を記憶するユーザ情報記憶手段と、
前記入力手段により入力された前記ユーザ情報に基づいて前記権限名称を認証する認証手段と、
前記認証手段によって認証された権限名称に基づく権限項目を実行する処理実行手段と、
ロックアウト時間を計測する計時手段と、
前記計時手段によって計測される所定時間内に前記入力手段により入力がない場合にそれ以降の前記入力手段からの入力を受け付けない状態にするロックアウト手段と、
前記ロックアウト手段によって入力を受け付けられない状態になった後、前記認証手段によって認証されたユーザ情報と同一のユーザ情報が入力されたことを条件として、前記入力手段からの入力を受け付ける状態にする再認証手段と、
を有することを特徴とする分析装置。
【請求項３】
ユーザにより入力される入力手段と、
分析のために実行される複数の処理のそれぞれに対応する権限項目を記憶する権限項目記憶手段と、
前記複数の権限項目から選択される１つの権限項目又は複数の権限項目の組合せと、所定の権限項目の使用権限を表わす権限名称と、を互いに対応させて記憶する権限名称記憶手段と、
分析を行うユーザに関する情報であるユーザ情報と前記権限名称との対応関係を記憶するユーザ情報記憶手段と、
前記入力手段により入力された前記ユーザ情報に基づいて前記権限名称を認証する認証手段と、
前記認証手段によって認証された権限名称に基づく権限項目を実行する処理実行手段と、
前記権限名称記憶手段に記憶される権限名称が含む１つ又は複数の権限項目を特定のユーザ情報に基づいて設定または変更できる権限項目設定手段と、
ロックアウト時間を計測する計時手段と、
前記計時手段によって計測される所定時間内に前記入力手段により入力がない場合にそれ以降の前記入力手段からの入力を受け付けない状態にするロックアウト手段と、
前記ロックアウト手段によって入力を受け付けられない状態になった後、前記認証手段によって認証されたユーザ情報と同一のユーザ情報が入力されたことを条件として、前記入力手段からの入力を受け付ける状態にする再認証手段と
を有することを特徴とする分析装置。
【発明の詳細な説明】
【技術分野】
【０００１】
本発明は、Ｘ線分析装置、熱分析装置、その他、各種の分析装置に関する。
【背景技術】
【０００２】
Ｘ線分析装置、熱分析装置等といった分析装置においては、ユーザの指示に従って一連の処理が行われて、求める分析結果が得られる。この場合、ユーザは複数の異なった人間であることが多い。例えば、分析装置を熟知した研究者や、分析装置のことを知らない単なる測定者等といった種々のユーザが分析装置を取り扱うことが考えられる。
【０００３】
分析装置のことを熟知した研究者が分析装置に関する各種の条件を調整して測定を行うことに対しては、特に、問題は生じないが、分析装置のことを知らない者が分析装置に関する各種の条件を調整することは、信頼性の高い測定結果を得ることに関して問題がある。また、場合によっては、分析結果の改ざんを目的として、ユーザが意図的に分析装置を誤った条件で稼動させるという問題も考えられる。
【０００４】
上記の問題を解消するため、従来、ユーザごとに異なる識別コードを設定し、その識別コードに対応する機能だけをユーザに許容するようにした分析装置が知られている（例えば、特許文献１参照）。また、ユーザごとに異なる識別コードを設定し、その識別コードに対応してアクセス権を設定した分析装置も知られている（例えば、特許文献２参照）。
【０００５】
【特許文献１】特許第３０４８０２９号公報（第３頁、図３〜図５）
【特許文献２】特開平１０−１１１８３４号公報（第４頁、図２）
【発明の開示】
【発明が解決しようとする課題】
【０００６】
以上のように、能力の異なるユーザに対して分析装置における機能に制限を加えることは従来から知られていた。しかしながら、従来は、異なるユーザに付与される機能が少ない種類に限定されていた。そのため、全てのユーザの個々に対して希望通りの機能を付与することは難しかった。
【０００７】
本発明は、上記の問題点に鑑みて成されたものであって、能力の異なる多種類のユーザの個々に対して適切な機能を付与できる分析装置を提供することを目的とする。また、本発明は、信頼性の高い分析結果を確保できる分析装置を提供することを目的とする。
【課題を解決するための手段】
【０００８】
本発明に係る第１の分析装置は、
（ａ）ユーザにより入力される入力手段と、
（ｂ）分析のために実行される複数の処理のそれぞれに対応する権限項目を記憶する権限項目記憶手段と、
（ｃ）前記複数の権限項目から選択される１つの権限項目又は複数の権限項目の組合せと、所定の権限項目の使用権限を表わす権限名称と、を互いに対応させて記憶する権限名称記憶手段と、
（ｄ）分析を行うユーザに関する情報であるユーザ情報と前記権限名称との対応関係を記憶するユーザ情報記憶手段と、
（ｅ）前記入力手段により入力された前記ユーザ情報に基づいて前記権限名称を認証する認証手段と、
（ｆ）前記認証手段によって認証された権限名称に基づく権限項目を実行する処理実行手段と、
（ｇ）前記権限名称記憶手段に記憶される権限名称が含む１つ又は複数の権限項目を特定のユーザ情報に基づいて設定または変更できる権限項目設定手段と
を有することを特徴とする。
【０００９】
上記構成において、「入力手段」は、例えば、キーボード、マウス等といった入力要素によって構成される。また、「権限項目記憶手段」、「権限名称記憶手段」、及び「ユーザ情報記憶手段」は、任意の記憶媒体、例えばハードディスク型記憶装置、光磁気ディスク型記憶装置等によって構成できる。また、「認証手段」及び「権限項目設定手段」は、例えば、ＣＰＵによって実現される機能実現手段として構成できる。また、「処理実行手段」は、例えば、Ｘ線測定装置、熱分析装置等といった処理装置によって構成できる。
【００１０】
また、上記構成において、『権限項目』としては、例えば、測定の実行を意味する「測定の実行」、データの解析の実行を意味する「データ解析の実行」、データの較正の実行を意味する「データ較正の実行」、データの出力を意味する「データ出力」、装置の設定を意味する「装置設定」、装置の較正を意味する「装置較正」、装置の較正の実行を意味する「装置較正の実行」等といった各種の名称が考えられる。
【００１１】
また、『権限名称』としては、管理者、測定者、一般ユーザ、パートタイマー等といった各種の名称が考えられる。「管理者」は、分析装置を管理する者の意味であって、多くの権限項目が付与されるユーザである。「測定者」は、分析装置を用いて測定を行う者の意味であって、上記の管理者程多くはないが、主に測定に関する多くの権限項目を付与されるユーザである。「一般ユーザ」は、分析装置を用いた測定に関して上記の測定者程専門的ではないが、かなりの知識をもっている者の意味である。「パートタイマー」は、装置の構成や測定条件に関する処理を行うことは認められず、単に測定を行うことだけが認められる者である。
【００１２】
また、『ユーザ情報』は、１人のユーザを特定するための１つ又は複数の情報である。例えば、半角英数で１〜１６文字の識別データであるユーザアカウント及び半角英数１６文字（又は全角８文字）の識別データであるユーザ名の片方又は両方によってユーザ情報を構成することができる。
【００１３】
上記構成の本発明に係る分析装置によれば、ユーザ情報に対応して権限名称が設定でき、さらに権限名称に対して１つ又は複数の権限項目が設定でき、さらに１つの権限名称に対して設定できる権限項目の内容は権限項目設定手段によって設定または変更できるので、複数のユーザの個々に対して適切な権限項目を付与できる。
【００１４】
次に、本発明に係る第２の分析装置は、
（ａ）ユーザにより入力される入力手段と、
（ｂ）分析のために実行される複数の処理のそれぞれに対応する権限項目を記憶する権限項目記憶手段と、
（ｃ）前記複数の権限項目から選択される１つの権限項目又は複数の権限項目の組合せと、所定の権限項目の使用権限を表わす権限名称と、を互いに対応させて記憶する権限名称記憶手段と、
（ｄ）分析を行うユーザに関する情報であるユーザ情報と前記権限名称との対応関係を記憶するユーザ情報記憶手段と、
（ｅ）前記入力手段により入力された前記ユーザ情報に基づいて前記権限名称を認証する認証手段と、
（ｆ）前記認証手段によって認証された権限名称に基づく権限項目を実行する処理実行手段と、
（ｈ）ロックアウト時間を計測する計時手段と、
（ｉ）前記計時手段によって計測される所定時間内に前記入力手段により入力がない場合にそれ以降の前記入力手段からの入力を受け付けない状態にするロックアウト手段と、
（ｊ）前記ロックアウト手段によって入力を受け付けられない状態になった後、前記認証手段によって認証されたユーザ情報と同一のユーザ情報が入力されたことを条件として、前記入力手段からの入力を受け付ける状態にする再認証手段と、
を有することを特徴とする。
【００１５】
この第２の分析装置が前記第１の分析装置と異なる点は、第１の分析装置における構成要件（ｇ）を持っておらず、構成要件（ｈ）、（ｉ）、（ｊ）を持っていることである。構成要件（ｈ）、（ｉ）、（ｊ）はロックアウト機能を実現するための構成要件である。つまり、第２の分析装置は、「管理者」等といった権限名称と「測定の実行」等といった権限項目との対応関係を変更することはできないが、それに代えて、ロックアウト機能を奏することができる分析装置である。
【００１６】
ロックアウト手段を用いたこの第２の分析装置によれば、一定時間内に入力要素に入力がない場合には分析装置がロックアウト状態に設定される。ロックアウト状態とは、ユーザが入力要素に入力を行った場合であっても、その入力が受け付けられない状態のことである。このロックアウト状態の働きにより、正規のユーザによって測定が開始された後、その正規ユーザが何等かの理由によってその場を離れたとき、その後に第三者が測定場所に侵入して測定条件の変更や測定データの改ざんをしようとしても、それらの行為は入力として受け付けられない。これにより、信頼性の高い分析結果が確保される。
【００１７】
また、正規ユーザが測定場所に戻って何等かの追加の処理を行いたいときには、その正規ユーザに付与されたユーザ情報を入力することにより、再認証手段の働きによって入力要素が再び入力を受け付ける状態に設定される。これにより、データの信頼性を損なう行為を排除して、データの信頼性を高めることができる。
【００１８】
次に、本発明に係る第３の分析装置は、
（ａ）ユーザにより入力される入力手段と、
（ｂ）分析のために実行される複数の処理のそれぞれに対応する権限項目を記憶する権限項目記憶手段と、
（ｃ）前記複数の権限項目から選択される１つの権限項目又は複数の権限項目の組合せと、所定の権限項目の使用権限を表わす権限名称と、を互いに対応させて記憶する権限名称記憶手段と、
（ｄ）分析を行うユーザに関する情報であるユーザ情報と前記権限名称との対応関係を記憶するユーザ情報記憶手段と、
（ｅ）前記入力手段により入力された前記ユーザ情報に基づいて前記権限名称を認証する認証手段と、
（ｆ）前記認証手段によって認証された権限名称に基づく権限項目を実行する処理実行手段と、
（ｇ）前記権限名称記憶手段に記憶される権限名称が含む１つ又は複数の権限項目を特定のユーザ情報に基づいて設定または変更できる権限項目設定手段と、
（ｈ）ロックアウト時間を計測する計時手段と、
（ｉ）前記計時手段によって計測される所定時間内に前記入力手段により入力がない場合にそれ以降の前記入力手段からの入力を受け付けない状態にするロックアウト手段と、
（ｊ）前記ロックアウト手段によって入力を受け付けられない状態になった後、前記認証手段によって認証されたユーザ情報と同一のユーザ情報が入力されたことを条件として、前記入力手段からの入力を受け付ける状態にする再認証手段と、
を有することを特徴とする。
【００１９】
この第３の分析装置は、前記第１の分析装置を構成する（ａ）から（ｇ）の構成要件に加えて、ロックアウト機能を実現するための（ｈ）から（ｊ）の構成要件をさらに有することに特徴がある。
【発明の効果】
【００２０】
本発明に係る第１の分析装置によれば、ユーザ情報に対応して権限名称が設定でき、さらに権限名称に対して１つ又は複数の権限項目が設定でき、さらに１つの権限名称に対して設定できる権限項目の内容は権限項目設定手段によって設定または変更できるので、複数のユーザの個々に対して適切な権限項目を付与できる。そしてこれにより、分析の結果として得られたデータに非常に高い信頼性を付与できる。
【００２１】
また、本発明に係る第２の分析装置によれば、ロックアウト機能及び再認証機能の働きにより、分析の結果として得られたデータに非常に高い信頼性を付与できる。また、本発明に係る第３の分析装置によれば、第１の分析装置と第２の分析装置との両方の機能を併せて有する、きわめて有用性の高い分析装置を提供できる。
【発明を実施するための最良の形態】
【００２２】
以下、本発明に係る分析装置を図面を用いて説明する。なお、本発明がその実施形態に限定されないことは、もちろんである。
【００２３】
図１は、本発明に係る分析装置の一実施形態を示している。この分析装置１は、ネットワーク２を介して互いに接続された管理サーバ３、クライアント端末としてのＸ線分析ユニット４、そしてクライアント端末としての熱分析ユニット６を有する。管理サーバ３は、サーバ本体７ａと、操作入力部としてのキーボード８ａと、操作入力部としてのマウス９ａと、画像表示部としてのディスプレイ１１ａとを有する。
【００２４】
Ｘ線分析ユニット４は、Ｘ線を用いて物質を分析するＸ線測定装置１２と、端末本体７ｂと、操作入力部としてのキーボード８ｂと、操作入力部としてのマウス９ｂと、画像表示部としてのディスプレイ１１ｂとを有する。また、熱分析ユニット６は、温度変化に応じた物質の特性変化を測定する熱分析装置１３と、端末本体７ｃと、操作入力部としてのキーボード８ｃと、操作入力部としてのマウス９ｃと、画像表示部としてのディスプレイ１１ｃとを有する。ネットワーク２は、サーバ本体７ａと、端末本体７ｂと、端末本体７ｃとを所定の通信規則に従ってつなげている。
【００２５】
管理サーバ３のサーバ本体７ａ内には、図２に示すように、ＣＰＵ（Central Processing Unit）１４ａ、ＲＡＭ（Random Access Memory）１６ａ、ＲＯＭ（Read Only Memory）１７ａ、バス１８ａ、画像制御回路２０ａ、そしてメモリ１９ａが設けられる。図１のディスプレイ１１ａは画像制御回路２０ａを介してバス１８ａにつながれる。また、図１のキーボード８ａ及びマウス９ａは操作入力部としてインターフェースを介してバス１８ａにつながれる。メモリ１９ａは、ハードディスク型記憶装置、ＭＯディスク（Magnet Optical Disk：光磁気ディスク）型記憶装置、その他、各種の記憶装置を用いて構成される。
【００２６】
メモリ１９ａの内部には、管理サーバとしての機能を実現するためのプログラムソフトである管理プログラム２１と、権限項目ファイル２２と、権限名称テーブル２３と、ユーザ情報テーブル２４と、ユーザアカウントテーブル２５と、ロックアウトタイマ時間を記憶する領域２６と、測定データファイル２７と、そして解析データファイル２８等といった各種記憶領域が設けられる。画像制御回路２０ａは、管理プログラム２１の制御フローに従ってディスプレイ１１ａの画面上に表示する画像データを生成する。そのような画像データの中には、図７及び図８に示すような「権限の新規作成」画面を生成するための画像データや、図９及び図１０に示すような「ユーザの追加」画面を生成するための画像データや、図１のＸ線分析ユニット４及び熱分析ユニット６との間で行われるデータ送信のための画面を生成する画像データ等が含まれる。また、必要に応じて、図１のＸ線分析ユニット４及び熱分析ユニット６によって測定されたデータを表示する画面を生成するための画像データも含まれる。
【００２７】
図２の権限項目ファイル２２には、図１のＸ線分析ユニット４又は熱分析ユニット６を操作するユーザにどのような機能が与えられるかということ、すなわちユーザにどのような権限が与えられるかということ、を識別するための権限項目データが複数、記憶される。このような権限項目データとして、例えば、図７に符号３１ａ〜３１ｆで示すデータ、及び図８に符号３１ｃ〜３１ｊで示すデータが挙げられる。なお、図８の画面におけるファイルのツリー構造は、図７の画面におけるツリー構造を下方へスクロールした状態を示しており、図７及び図８において同じ符号で示す権限項目データは同じデータである。
【００２８】
上記の各下位概念の権限項目データ３１ａ〜３１ｊは、中位概念の権限項目データ３２ａ〜３２ｊのいずれかを選択することにより、一括して選択できる。また、それら中位概念の権限項目データ３２ａ〜３２ｊは、上位概念の権限項目データ３３ａ〜３３ｃのいずれかを選択することにより、一括して選択できる。なお、図７及び図８に示す権限項目は権限項目ファイル２２に格納された権限項目データのうちの一部であり、権限項目ファイル２２には図１のＸ線分析ユニット４や熱分析ユニット６を操作するにあたって必要となる、それら以外の、さらに多数の権限項目データが記憶されている。
【００２９】
図２の権限名称テーブル２３には、上記した複数の権限項目から選択される１つの権限項目又は複数の権限項目の組合せと、その１つの権限項目又は複数の権限項目の組合せに対応する名称である権限名称とが、互いに対応して記憶されている。権限名称としては、例えば、管理者、測定者、一般ユーザ、パートタイマー等といった各種の名称が考えられる。
【００３０】
ここで、「管理者」とは、分析装置を管理する者の意味であって、多くの権限項目が付与されるユーザを意味する。また、「測定者」は、分析装置を用いて測定を行う者の意味であって、上記の管理者程多くはないが、主に測定に関する多くの権限項目を付与されるユーザを意味する。また、「一般ユーザ」は、分析装置を用いた測定に関して上記の測定者程専門的ではないが、かなりの知識をもっている者の意味である。そして、「パートタイマー」は、装置の構成や測定条件に関する処理を行うことは認められず、単に測定を行うことだけが認められる者である。
【００３１】
要するに、Ｘ線分析及び熱分析を行うにあたって許容される機能が最も多い者が「管理者」であり、次に多い者が「測定者」であり、次が「一般ユーザ」であり、最も少ない者が「パートタイマー」ということになる。
【００３２】
管理者等といった権限名称と、測定の実行等といった権限項目との対応関係は、必要に応じて適宜に設定できる。例えば、「管理者」に対応しては予め設定されている全ての権限項目を割り当て、「測定者」に対応しては図７及び図８の測定３３ａ、解析３３ｂ、及び管理３３ｃの権限項目を割り当て、「一般ユーザ」に対応しては図７及び図８の測定３３ａ及び解析３３ｂの権限項目を割り当て、そして「パートタイマー」に対応しては測定の実行３２ｃだけを割り当てる、というような設定を行うことができる。
【００３３】
次に、図２のユーザ情報テーブル２４には、分析を行うユーザを識別するための情報であるユーザ情報と、上記した管理者、測定者等といった権限名称との対応関係が記憶される。ここで、「ユーザ情報」とは、図１のＸ線分析ユニット４又は熱分析ユニット６を使用するユーザを識別するための情報のことであり、必要に応じて種々の符号を用いることができる。本実施形態では、半角英数の１〜１６文字の組合せによってユーザアカウントを設定し、半角英数１６文字又は全角８文字の組合せによってユーザ名を設定し、これらのユーザアカウントとユーザ名との組合せによってユーザ情報を構成するものとする。例えば、
ユーザアカウント：RIGAKU、  ユーザ名：USER1
によって１つのユーザ情報を特定できる。
【００３４】
権限項目ファイル２２内に記憶されるところの、図７及び図８にツリー構造として示した各種の権限項目データは、必要なものが予め網羅されていて、ネットワークの管理者や分析装置のユーザが操作入力部８ａ，９ａを介して追加する必要が無いようになっている。しかしながら、特殊なユーザを考慮して、権限項目データを必要に応じて後から追加できるように、管理プログラム２１を構成するようにしても良い。
【００３５】
権限名称テーブル２３内に記憶されるところの、「管理者」等といった権限名称と、「測定の実行」等といった権限項目との対応関係は、ネットワークの管理者等が操作入力部８ａ，９ａを操作することによって変更及び追加できるように、管理プログラム２１が構成されている。また、ユーザ情報テーブル２４内に記憶されるところの、「ユーザアカウント」等といったユーザ情報と、「管理者」等といった権限名称との対応関係も、ネットワークの管理者等が操作入力部８ａ，９ａを操作することによって変更及び追加できるように、管理プログラム２１が構成されている。
【００３６】
図２のロックアウトタイマ時間記憶領域２６には、ロックアウト処理を実行するにあたって必要となるロックアウト時間が記憶される。ロックアウト処理というのは、図１において、Ｘ線分析ユニット４及び熱分析ユニット６が動作を開始した後、キーボード８ｂ，８ｃ又はマウス９ｂ，９ｃが一定時間、操作されない場合に、ユーザ及びそれ以外の第三者がキーボード等といった操作入力部を通して入力操作を行っても、その入力操作が入力操作として受け付けられないという処理のことである。このロックアウト処理については、後で詳しく説明する。なお、ロックアウト時間の値は、図７又は図８の画面が表示されている間にネットワーク管理者、分析装置のユーザ等によって入力できるようになっている。
【００３７】
図２の測定データファイル２７には、図１のＸ線分析ユニット４によって測定されたデータ及び／又は熱分析ユニット６によって測定されたデータであって、ネットワーク２を通して伝送されたデータが記憶される。また、解析データファイル２８には、測定データを基にしてＸ線分析ユニット４及び／又は熱分析ユニット６で行われた種々の解析結果のデータであって、ネットワーク２を通して伝送されたデータが記憶される。
【００３８】
次に、図１のＸ線分析ユニット４のコンピュータ本体７ｂ内及び熱分析ユニット６のコンピュータ本体７ｃ内には、それぞれ、図３に示すように、ＣＰＵ（Central Processing Unit）１４ｂ、ＲＡＭ（Random Access Memory）１６ｂ、ＲＯＭ（Read Only Memory）１７ｂ、バス１８ｂ、画像制御回路２０ｂ、そしてメモリ１９ｂが設けられる。図１のディスプレイ１１ｂ，１１ｃは画像制御回路２０ｂを介してバス１８ｂにつながれる。また、図１のキーボード８ｂ，８ｃ及びマウス９ｂ，９ｃは操作入力部としてインターフェースを介してバス１８ｂにつながれる。メモリ１９ｂは、ハードディスク型記憶装置、ＭＯディスク（Magnet Optical Disk：光磁気ディスク）型記憶装置、その他、各種の記憶装置を用いて構成される。
【００３９】
メモリ１９ｂの内部には、Ｘ線分析装置や熱分析装置としての機能を実現するためのプログラムソフトであるアプリケーションプログラム４１と、測定データファイル４７と、解析データファイル４８等といった各種記憶領域が設けられる。画像制御回路２０ｂは、アプリケーションプログラム４１の制御フローに従ってディスプレイ１１ｂ，１１ｃの画面上に表示する画像データを生成する。そのような画像データの中には、Ｘ線分析のために必要となる画面を生成するための画像データや、熱分析のために必要となる画面を生成するための画像データや、図１の管理サーバ３との間で行われるデータ送信を行うために必要となる画面を生成する画像データ等が含まれる。もちろん、図１のＸ線分析ユニット４及び熱分析ユニット６によって測定されたデータを表示するための画面を生成する画像データも含まれる。
【００４０】
アプリケーションプログラム４１は、図１のＸ線分析ユニット４内に設けられたものであれば、Ｘ線測定装置１２を用いてＸ線分析を実行するためのプログラムであり、他方、熱分析ユニット６内に設けられたものであれば、熱分析装置１３を用いて熱分析を実行するためのプログラムである。
【００４１】
Ｘ線分析測定として、いわゆるθ―２θ系のゴニオメータを用いた粉末測定を考えれば、Ｘ線分析測定は、例えば、次のようにして行われる。すなわち、試料を一定の速度で連続的又は間欠的に回転（いわゆる、θ回転）させながら、Ｘ線源から発生するＸ線をその試料に照射する。試料に入射するＸ線とθ回転する試料との間で、いわゆるブラッグの回折条件が満足されるタイミングが到来すると試料から回折線が出る。この回折線は、試料に対して一定の速度で連続的又は間欠的に回転（いわゆる、２θ回転）するＸ線検出器によって受光され、さらに、そのＸ線検出器の出力に現れる電気信号に基づいて回折線のＸ線強度（Ｉ）が演算される。この結果、試料で回折した回折線の回折角度（２θ）とＸ線強度（Ｉ）とが一対のデータとして求められる。こうして得られた（２θ，Ｉ）のデータが、図３の測定データファイル４７に記憶されたり、図２の測定データファイル２７に記憶されたりする。
【００４２】
Ｘ線分析測定としては、上記の粉末測定の他に、多くの異なった種類の測定方法がある。例えば、単結晶物質を試料とするＸ線測定、Ｘ線を線状に受光するＸ線検出器（いわゆる、１次元Ｘ線検出器）を用いたＸ線測定、Ｘ線を平面的に受光するＸ線検出器（わゆる、２次元Ｘ線検出器）を用いたＸ線測定、Ｘ線小角測定、微小部Ｘ線回折測定、Ｘ線応力測定、Ｘ線トポグラフ測定、その他、種々のＸ線測定方法がある。測定方法が異なれば、得られる測定結果も種々に変化する。例えば、上記の（２θ，Ｉ）のデータ以外に、試料に入射するＸ線の入射角度ωが測定データに入ることもある。また、試料の温度を変化させながらＸ線測定が行われる場合には、温度条件が測定データに入ることもある。
【００４３】
他方、熱分析として、いわゆる熱重量測定（ＴＧ：Thermogravimetry）を考えれば、熱分析測定は、例えば、次のようにして行われる。すなわち、天秤機構の試料皿に試料を載せ、その試料の温度を変化させ、その試料に重量変化があったときにはその重量変化が天秤機構によって測定される。この結果、温度（Ｔ）の変化に応じて生じる試料の重量（Ｇ）の変化が測定される。こうして得られた（Ｔ，Ｇ）のデータが、図３の測定データファイル４７に記憶されたり、図２の測定データファイル２７に記憶されたりする。
【００４４】
熱分析測定としては、上記の熱重量測定の他に、多くの異なった種類の測定方法がある。例えば、示差熱分析（ＤＴＡ：Differential Thermal Analysis）、示差走査熱量測定（ＤＳＣ：Differential Scanning Calorimetry）、熱膨張測定等といった各種の測定がある。測定方法が異なることに応じて異なった測定データが得られる場合にも、それらの測定データは図３の測定データファイル４７に記憶されたり、図２の測定データファイル２７に記憶されたりする。
【００４５】
なお、本実施形態のアプリケーションプログラム４１は、図１の管理サーバ３から伝送される管理項目データ、例えば図７の「Ｘ線分析測定条件編集・測定実行設定３１ｂ」、「熱分析測定条件編集設定３１ｂ」、「Ｘ線分析測定の実行設定３１ｃ」、その他、図２の権限項目ファイル２２内に記憶された管理項目データによって特定される機能を単位として、Ｘ線分析測定及び熱分析測定を行う。例えば、
（１）図１の管理サーバ３から、図７の「Ｘ線分析測定の実行設定３１ｃ」の管理項目だけが図１のＸ線分析ユニット４へ伝送されれば、図３のアプリケーションプログラム４１はＸ線測定装置１２を使ってＸ線分析の測定を行うことを許容し、それ以外の処理は行われないようにＸ線測定装置１２を制御する。また、
（２）図１の管理サーバ３から、図７の「Ｘ線分析測定条件編集・測定実行設定３１ｂ」の管理項目だけが図１のＸ線分析ユニット４へ伝送されれば、図３のアプリケーションプログラム４１は、Ｘ線測定装置１２に対して測定条件の編集を行うこと及びＸ線測定装置１２を使ってＸ線分析の測定を行うことを許容し、それ以外の処理は行われないようにＸ線測定装置１２を制御する。また、
（３）図７において「測定３３ａ」及び「解析３３ｂ」の２つの上位概念の管理項目だけが選択されている場合には、それらの管理項目に含まれる全ての下位概念の管理項目３１ｂ〜３１ｆが図１のＸ線分析ユニット４へ伝送され、図３のアプリケーションプログラム４１は、それらの管理項目に対応した機能だけを実行するようにＸ線測定装置１２を制御する。
【００４６】
次に、図３の測定データファイル４７には、図１のＸ線測定装置１２を用いて行った測定の結果として得られたＸ線測定データや、熱分析装置１３を用いて行った測定の結果として得られた熱分析測定データが記憶される。また、解析データファイル４８には、測定データを基にして図１のＸ線分析ユニット４及び熱分析ユニット６を用いて行われた解析によって求められた新たなデータが記憶される。
【００４７】
以下、上記構成より成る分析装置についてその動作を説明する。
図４は、図１の管理サーバ３によって実行される制御の流れを示している。今、ネットワークの管理者が管理サーバ３のキーボード８ａ、マウス９ａ、及び必要に応じてその他の入力操作機器を操作するものとする。管理サーバ３は、図４のステップＳ１において、権限設定を行う旨の指示が成されたかどうかを判断し、成されていれば、ステップＳ２において図７及び図８の権限設定・変更画面を表示する。
【００４８】
ネットワークの管理者は、この権限設定・変更画面を見ながら権限の設定のための処理を行うことができる。具体的には、図７において、権限名称の入力欄３４に所定の「権限名称」を入力する。権限名称としては、例えば、管理者、測定者、一般ユーザ、パートタイマー等といった任意の識別名称が考えられる。適宜の権限名称が入力されると、管理者は続いて、ツリー構造の権限項目の１つ又は複数の希望するものに対応する四角枠内にチェックを入れる。
【００４９】
次に、管理者は登録ボタン３８をクリックする。すると、図示しない認証ダイアログがディスプレイ画面上に表示される。この画面には、パスワードを入力する欄が設けられている。管理者は、予め自分に与えられているパスワードをその入力欄に入力する。パスワードが正しければ、今入力されている「権限名称」及びチェックが入れられている１つ又は複数の「権限項目」が図２の権限名称テーブル２３のデータテーブル内に互いに関連付けられて記憶される。これにより、権限名称である「管理者」に対して１つ又は複数の所定の権限項目が登録される。ネットワークの管理者は、必要に応じて、その他の権限名称、例えば「測定者」、「一般ユーザ」、「パートタイマー」に対して、希望する１つ又は複数の権限項目を登録できる。なお、ネットワークの管理者は、図７及び図８の画面が表示されている間に権限項目の選択を変えることにより、権限名称に対する権限項目の内容を変更することもできる。
【００５０】
次に、ネットワークの管理者は、必要に応じて、リトライ回数の入力欄３６内に希望するリトライ回数の値を入力する。また、管理者は、ロックアウト時間の入力欄３７内に希望のロックアウト時間の値を入力する。リトライ回数とは、認証のための操作に失敗があった場合に、その失敗を何回まで許すかの回数のことである。ロックアウト時間については、後述するロックアウト処理の説明のところで詳しく説明する。
【００５１】
次に、管理サーバ３は、図４のステップＳ３において、ユーザ追加を行う旨の指示が成されたかどうかを判断し、成されていれば、ステップＳ４において図９及び図１０のユーザ追加・変更設定画面を表示する。なお、図１０におけるファイルのツリー構造は、図９の画面におけるツリー構造を下方へスクロールした状態を示しており、図９及び図１０において同じ符号で示す権限項目データは同じデータである。
【００５２】
ネットワークの管理者は、このユーザ登録・変更画面を見ながらユーザの追加又は変更のための処理を行うことができる。具体的には、図９において、「ユーザアカウント」の入力欄４２に所定のユーザアカウント、例えば「RIGAKU」等を入力し、さらに「ユーザ名」の入力欄４３に所定のユーザ名、例えば「USER1」等を入力する。さらに、権限名称の入力欄４４に希望する「権限名称」を入力する。この権限名称は、図２の管理サーバ３側の権限名称テーブル２３に記憶されている権限名称であり、例えば、「管理者」、「測定者」、「一般ユーザ」、「パートタイマー」等といった名称である。
【００５３】
図９の権限名称入力欄４４に権限名称が入力されると、ステップＳ２においてその権限名称に付与された権限項目に対応するチェック枠にチェック印が入る。これにより、ネットワークの管理者は、今登録しようとしている権限項目が何であるかを確認できる。
【００５４】
次に、ネットワークの管理者は登録ボタン４５をクリックする。すると、図示しない認証ダイアログがディスプレイ画面上に表示される。この画面には、パスワードを入力する欄が設けられている。管理者は、予め自分に与えられているパスワードをその入力欄に入力する。パスワードが正しければ、今入力されている「ユーザアカウント」及び「権限名称」が図２のユーザ情報テーブル２４内に互いに関連付けられて記憶される。これにより、ユーザアカウントに対して権限名称が登録される。ネットワークの管理者は、必要に応じて、任意のユーザアカウントに対して登録済みの任意の権限名称を登録できる。
【００５５】
以上により、管理サーバ３側において権限の設定又は変更及びユーザの追加又は変更が行われた後、図４のステップＳ５において、図１のクライアント端末４，６側から認証の依頼があったかどうかをチェックし、その依頼があればステップＳ６で認証を実行する。この認証は、クライアント端末の操作者が登録された正規の認証者であるかどうかを判断するものであり、具体的には、クライアント側から送られてくるユーザアカウントとパスワードが図２の管理サーバ３のユーザ情報テーブル２４及びユーザアカウントテーブル２５に登録されているかどうかをチェックする。
【００５６】
送られてきたユーザアカウントが登録されていれば（ステップＳ７でＹＥＳ）、管理サーバ３はステップＳ８で、そのユーザアカウントに対応する権限名称をユーザ情報テーブル２４から読み出し、その読み出した権限名称に対応する権限項目を権限名称テーブル２３から読み出し、その読み出した権限項目、例えば「Ｘ線分析測定の実行設定３１ｃ」、「Ｘ線分析データ出力設定３１ｆ」、「熱分析装置設定３１ｇ」等といった権限項目に対応するデータをクライアント側へ送信する。図１のクライアント側４，６では、送られてきた権限項目に従って後述のようにしてＸ線分析や熱分析を行う。
【００５７】
図５は、図１のクライアント端末４，６側で行われる制御の流れを示している。制御の流れ自体は、Ｘ線分析ユニット４と熱分析ユニット６とで変わりがないので、代表してＸ線分析ユニット４について説明するものとする。つまり、図３に示したクライアント端末側のアプリケーションプログラム４１にはＸ線分析を実行するためのプログラムが格納されているものとして説明を行う。
【００５８】
図１のＸ線分析ユニット４が起動すると、図５のステップＳ１１において、図１のディスプレイ１１ｂの画面上にメニュー画面が表示される。このメニュー画面には、ユーザが実行を希望するアプリケーションプログラムを指示するための画面が含まれている。実行を希望するアプリケーションプログラムとしては、例えばステップＳ１３の「理学コントロールパネル」を実行するためのプログラムや、ステップＳ１５の「自動セッティングプログラム」を実行するためのプログラムや、あるいは、ステップＳ１７の「標準測定プログラム」を実行するためのプログラム等がある。
【００５９】
ユーザが希望するアプリケーションプログラムを指示すると、クライアント側コンピュータはステップＳ１２、Ｓ１４、又はＳ１６において、いずれかのアプリケーションプログラムの起動が指示されたものと判断し、ステップＳ１３、Ｓ１５、又はＳ１７において個々のアプリケーションプログラムが起動する。
【００６０】
なお、「理学コントロールパネル」は、図１のＸ線測定装置１２においてアタッチメント、例えば、試料温度を制御するための試料温度制御アタッチメントや、測定の対象である試料を自動的に交換するためのアタッチメントであるサンプルチェンジャ等を分析処理の中に組み入れるためのプログラムである。また、「自動セッティングプログラム」は、Ｘ線光学系の光学的な条件や、その他、Ｘ線測定装置１２を稼動するにあたって必要となる装置の条件等といった各種の条件についての較正を自動的に行うためのプログラムである。また、「標準測定プログラム」は、図１のＸ線測定装置１２を用いてＸ線測定を実現させるためのプログラムである。
【００６１】
「理学コントロールパネル」は、図８の「装置設定３２ｇ」の権限を有するユーザのみが起動できるプログラムである。さらに、「装置較正３２ｉ」の権限を持つユーザは理学コントロールパネル内の装置の較正に関する機能を使用できる。一方、「装置設定３２ｇ」の権限のみを有するユーザは理学コントロールパネル内の装置の較正に関する機能は利用できないように、例えば、キーボードやマウスを操作しても数値の入力ができないようになっている。
【００６２】
「自動セッティングプログラム」は、図８の「装置較正３２ｉ」の権限を有するユーザがそれを起動させて利用できるプログラムである。「装置較正３２ｉ」の権限を持たないユーザはそのプログラムを起動させることができないようになっている。また、「標準測定プログラム」は、図７の「測定３３ａ」の権限を有するユーザのみが起動できるプログラムである。より具体的には、「測定条件編集・実行３１ｂ」の権限を有するユーザは標準測定プログラムの全ての機能を使用することができる。他方、「測定実行３２ｃ」の権限を持つユーザは、標準測定プログラムのうち測定の実行に関する機能を使用することだけが許容され、測定条件の編集に関する機能は使用できない。
【００６３】
次に、図６は、図５におけるステップＳ１３、ステップＳ１５及びステップＳ１７の各アプリケーションプログラムによって実行される制御の流れを示している。以下、このフローチャートに基づいて各アプリケーションプログラムによって実行される処理、特に認証処理及びロックアウト処理を含む処理について説明する。
【００６４】
図６のステップＳ２１においてアプリケーションプログラムが起動されると、次にステップＳ２２において図１１（ａ）に示すユーザ認証画面５１が表示される。このユーザ認証画面５１には、ユーザアカウントを入力する欄５２と、パスワードを入力する欄５３が設けられている。ユーザ認証画面５１が表示されたとき、ユーザは、図２の管理サーバ３に予め登録済みのユーザアカウント、例えば「RIGAKU」、を入力する。また、前回入力したときのパスワードをパスワード入力欄５３に入力し、ＯＫボタン５４をクリックする。
【００６５】
今回の操作が初回の操作である場合には、図１１（ｂ）に示すようなパスワードの登録を行うための画面が表示される。ユーザは、パスワードの入力欄５６及びパスワード入力の確認欄５７に任意のパスワードを入力する。
【００６６】
図１１（ａ）のＯＫボタン５４がクリックされると、図１のクライアント端末４から認証依頼信号が管理サーバ３へ送られ、管理サーバ３において図４のステップＳ５及びＳ６で認証処理が実行される。すなわち、依頼されたユーザアカウントとパスワードが図２のユーザ情報テーブル２４及びユーザアカウントテーブル２５に登録されているかどうかをチェックする。チェックの結果、「RIGAKU」のユーザアカウントが見つかれば、そのユーザアカウントに対応する権限名称がテーブルから読み出され、さらに権限名称テーブル２３から対応する権限項目が読み出される。管理サーバ３は、その読み出された権限項目を図４のステップＳ８においてクライアント端末４（図１参照）へ送信する。
【００６７】
クライアント端末４は、図６のステップＳ２３において管理サーバ３（図１）によって認証が成されたかどうかをチェックし、成されたと判断したときには、ステップＳ２４においてロックアウトタイマ時間を設定し、さらにステップＳ２５においてアプリケーションを実行する。この場合、実行されるアプリケーションは図４のステップＳ８において管理サーバ側から送られた権限項目データに従って制限された機能の範囲である。
【００６８】
例えば、ユーザアカウント「RIGAKU」に対応する権限名称が「パートタイマー」であって、そのパートタイマーに対応する権限項目が図９の「測定の実行３２ｃ」に設定されているのであれば、今、クライアント端末４を操作しているユーザに許される機能は、Ｘ線分析測定を行うことだけであり、測定条件の設定及び変更、アタッチメントの交換、その他多くの機能を利用することはできない。
【００６９】
ステップＳ２４で設定したロックアウト時間は、図２のロックアウトタイマ時間の記憶領域２６に記憶された時間、例えば１０分である。クライアント端末４は図６のステップＳ２６においてロックアウトタイマ時間が過ぎたかどうかをチェックし、過ぎていないと判断した場合にはアプリケーションの実行を続ける。このとき、ユーザがキーボード、マウス等と介して入力を行えば、その入力に対応した処理が実行される。
【００７０】
他方、ステップ２６においてロックアウト時間が経過したと判断された場合（ステップＳ２６でＹＥＳ）には、クライアント端末４はステップＳ２７において、キーボード、マウス、その他の入力要素を非アクティブ状態、すなわち入力を受け付けない状態にセットする。これにより、正規のユーザはもとより、正規ユーザ以外の第三者がキーボード等といった入力要素を操作したとしても、その入力操作に対応した処理は行われない。但し、それまでに行われていた処理、例えばＸ線を用いた測定自体は継続して実行され、図１のディスプレイ１１ｂの画面上には測定結果が継続して画像として表示され続ける。
【００７１】
従来の分析装置においては、上記のようなロックアウト処理は行われていなかった。そのため、ユーザ以外の第三者は正規ユーザが測定場所を留守にしている機会を見計らって、キーボード等といった入力要素を操作してデータの改ざんを行うことが比較的容易であった。これに対し、本実施形態では、所定のロックアウト時間が経過すると第三者による入力処理ができなくなるので、第三者による改ざんの行為はほとんどできなくなる。これにより、クライアント端末４によって行われる分析の結果の信頼性が大幅に向上する。
【００７２】
ロックアウト時間の経過後に、ユーザ又は第三者によって入力要素に入力操作が成されると（ステップＳ２８でＹＥＳ）、クライアント端末４はステップＳ３０においてユーザ再認証画面を表示し、さらに、ステップＳ３２においてロックアウトタイマ時間を再度、設定する。このときに表示されるユーザ再認証画面は図１１（ａ）の画面と同じものとすることができる。ユーザが何等かの入力を希望する場合には、図１１（ａ）においてユーザアカウント欄５２に自分のユーザアカウントを入力し、さらにパスワードの入力欄５３に自分のパスワードを入力する。
【００７３】
これらの入力が成されたとき、クライアント端末４は図２のユーザアカウントテーブル２５をチェックしてユーザカウント及びパスワードが登録されているかをチェックし、登録されていれば、認証を許可する。こうして認証が許可されると（図６のステップＳ３１でＹＥＳ）、ステップＳ３３において入力要素をアクティブ状態にセットする。このため、再設定されたロックアウト時間が経過するまでの間はキーボード等といった入力要素を介して入力を行うことができる。そして、再設定されたロックアウト時間が経過すると、クライアント端末４は再びロックアウト状態にセットされる。
【００７４】
以上の処理は、ステップＳ３４においてアプリケーションが終了したと判断されるまで実行される。ステップＳ３４でアプリケーションが終了したと判断されると、ステップＳ３５においてアプリケーションプログラムを終了して図５の基本ルーチンへ戻る。
【００７５】
以上のように、本実施形態によれば、ユーザアカウント等といったユーザ情報に対応して「管理者」等といった権限名称を図２のユーザ情報テーブル２４に設定できる。また、その権限名称に対して１つ又は複数の権限項目、例えば図７の「測定の実行３２ｃ」等を権限名称テーブル２３に設定できる。そしてさらに、１つの権限名称に対して設定できる権限項目の内容は、コンピュータのＣＰＵ等によって実現される機能実現手段である権限項目設定手段によって設定又は変更できる。このため、本実施形態によれば、複数のユーザの個々に対して適切な権限項目を付与できる。
【００７６】
（他の実施形態）
以上、好ましい実施形態を挙げて本発明を説明したが、本発明はその実施形態に限定されるものでなく、請求の範囲に記載した発明の範囲内で種々に改変できる。
例えば、上記実施形態では、図１に示すように、ネットワークを構成する複数のコンピュータに対して本発明を適用した。しかしながら、本発明は、ネットワークを構成しない１個のコンピュータに対しても適用できる。
【００７７】
また、上記実施形態では、図１に示すように、クライアント端末としてＸ線分析装置及び熱分析装置を含む端末を考えた。しかしながら、クライアント端末はそれらの分析装置以外の種類の分析装置によって構成することもできる。
【産業上の利用可能性】
【００７８】
本発明に係る分析装置は、コンピュータによって管理される分析装置においてデータの信頼性を高めるために好適に用いられる。
【図面の簡単な説明】
【００７９】
【図１】本発明に係る分析装置の一実施形態を示す図である。
【図２】図１における管理サーバ側の回路構成を示すブロック図である。
【図３】図１におけるクライアント端末側の回路構成を示すブロック図である。
【図４】管理サーバ側で行われる制御の一部のフローチャートである。
【図５】クライアント端末側で行われる制御の一部のフローチャートである。
【図６】図５における個々のアプリケーションプログラムによって実行される制御の一部を示すフローチャートである。
【図７】図１における管理サーバ３側のディスプレイ画面の一例を示す図である。
【図８】図７の画面を下方へスクロールさせた後の画面を示す図である。
【図９】図１における管理サーバ３側のディスプレイ画面の他の一例を示す図である。
【図１０】図９の画面を下方へスクロールさせた後の画面を示す図である。
【図１１】ディスプレイ画面に表示される表示の一例を示しており、（ａ）は認証表示、（ｂ）はパスワード入力表示である。
【符号の説明】
【００８０】
１．分析装置、  ２．ネットワーク、  ３．管理サーバ、
４．Ｘ線分析ユニット（クライアント端末）、
６．熱分析ユニット（クライアント端末）、７ａ，７ｂ，７ｃ．本体、
８ａ，８ｂ，８ｃ．キーボード、  ９ａ，９ｂ，９ｃ．マウス、
１１ａ，１１ｂ，１１ｃ．ディスプレイ、  １２．Ｘ線測定装置、
１３．熱分析装置、  １４ａ，１４ｂ．ＣＰＵ、  １６ａ，１６ｂ．ＲＡＭ、
１７ａ，１７ｂ．ＲＯＭ、  １８ａ，１８ｂ．バス、  １９ａ，１９ｂ．メモリ、
２０ａ，２０ｂ．画像制御回路、  ２１．管理プログラム、  ２２．権限項目ファイル、
２３．権限名称テーブル、  ２４．ユーザ情報テーブル、
２５．ユーザアカウントテーブル、  ２６．ロックアウトタイマ時間を記憶する領域、
２７．測定データファイル、  ２８．解析データファイル、
３１ａ〜３１ｊ．下位権限項目、  ３２ａ〜３２ｊ．中位権限項目、
３３ａ〜３３ｃ．上位権限項目、  ３４．権限名称入力欄、
３６．リトライ回数の入力欄、  ３７．ロックアウト時間の入力欄、
３８．登録ボタン、  ４１．アプリケーションプログラム、
４２．ユーザアカウントの入力欄、  ４３．ユーザ名の入力欄、
４４．権限名称の入力欄、  ４５．登録ボタン、  ４７．測定データファイル、
４８．解析データファイル、  ５１．ユーザ認証画面、
５２．ユーザアカウント入力欄、  ５３．パスワード入力欄、  ５４．ＯＫボタン、
５６．パスワードの入力欄、  ５７、パスワード確認入力欄
【図１】
2005327080.tif 000003
【図２】
2005327080.tif 000004
【図３】
2005327080.tif 000005
【図４】
2005327080.tif 000006
【図５】
2005327080.tif 000007
【図６】
2005327080.tif 000008
【図７】
2005327080.tif 000009
【図８】
2005327080.tif 000010
【図９】
2005327080.tif 000011
【図１０】
2005327080.tif 000012
【図１１】
2005327080.tif 000013